(57)【特許請求の範囲】
【請求項１】
ワイヤハーネスにバンドクランプを取り付け、
上記バンドクランプの係止突起と反対面側に、ワイヤハーネスの品番を表示した品番表示シートを配置し、その長さ方向の一端を粘着テープでワイヤハーネスに固着し、
ついで、該品番表示シートの長さ方向の中間部が前記バンドクランプのバンドを跨ぐように上記品番表示シートの他端を伸ばし、該他端の先端を粘着テープでワイヤハーネスに固着しているワイヤハーネスへの品番表示シートの取付方法。
【発明の詳細な説明】
【０００１】
【発明の属する技術分野】
本発明は、ワイヤハーネスへの品番表示シートの取付方法に関し、特に、自動車への配索時に品番表示シートを見え易い位置に取り付けるものである。
【０００２】
【従来の技術】
従来、自動車に配索するワイヤハーネスには、カーメーカから、カーメーカ専用の識別記号を付した品番表示をワイヤハーネスに付すことが要望されている。そのため、図４に示すように、ワイヤハーネスＷ／Ｈに、品番を表示した樹脂シートからなる品番表示シート１（あるいは、樹脂シートの内部に品番表示紙を封入した品番表示シート）を粘着テープ２を用いてワイヤハーネスに取り付けている。
【０００３】
上記のように品番表示シート１を取り付けたワイヤハーネスＷ／Ｈは、例えば、図５に示すように、エンジン３の円筒ケース３ａの上面に沿って取り付けられ、エンジンの始動検査前に、組み立てられたワイヤハーネスＷ／Ｈの正誤を品番表示シート１を見て検査している。よって、品番表示シート１は見やすいように、エンジンボデーとは反対側の上向きに位置させる必要がある。
【０００４】
【発明が解決しようとする課題】
上記品番表示シート１のワイヤハーネスＷ／Ｈの取り付けはワイヤハーネスメーカで行っている。ワイヤハーネスの製造は、生産性の向上のために一つの品番のワイヤハーネスを複数の生産工場で組み立て、これらをまとめて１つの品番のワイヤハーネスを完成させている。各生産工場では最適な生産形態で生産しているため、品番表示シート１のワイヤハーネスＷ／Ｈへの取付位置がワイヤハーネスの円周上で特定されていない。よって、各生産工場で生産された各ワイヤハーネスを１つの品番のワイヤハーネスとしてまとめて完成した時、品番表示シート１の位置が統一されておらず、自動車にワイヤハーネスが配索された時に、見やすい位置に取り付けられていないことがある。
【０００５】
各生産工場で、指示書を用いて品番表示シートの位置決めを行っても、ワイヤハーネスにねじれ等が生じていた場合等には、ワイヤハーネスの円周上の所定の位置に品番表示シートを取り付けにくく、指示された所定位置に品番表示シートを取り付けようとした場合、ワイヤハーネスの生産性が低下する問題がある。
【０００６】
本発明は上記問題に鑑みてなされたもので、品番表示シートが見やすい位置に簡単かつ確実に取り付けられるようにすることを課題としている。
【０００７】
【課題を解決するための手段】
上記課題を解決するため、本発明は、ワイヤハーネスにバンドクランプを取り付け、
上記バンドクランプの係止突起と反対面側に、ワイヤハーネスの品番を表示した品番表示シートを配置し、その長さ方向の一端を粘着テープでワイヤハーネスに固着し、
ついで、該品番表示シートの長さ方向の中間部が前記バンドクランプのバンドを跨ぐように上記品番表示シートの他端を伸ばし、該他端の先端を粘着テープでワイヤハーネスに固着しているワイヤハーネスへの品番表示シートの取付方法提供している。
【０００８】
上記のようにクランプの係止突起と反対側に品番表示シートを位置させてワイヤハーネスに取り付けておくと、自動車へのワイヤハーネス配索時に、品番表示シートは必ず取付ボデー側とは反対面の作業員が目視できる位置に配置されることとなる。また、品番表示シートはクランプの係止突起を目安として、該係止突起と反対側に取り付ければ良いため、取付位置を簡単に特定でき、ワイヤハーネスの生産性を低下させない。
【００１０】
【発明の実施の形態】
以下、本発明の実施形態を図面を参照して説明する。
【００１１】
図１（Ａ）（Ｂ）（Ｃ）に示すように、ワイヤハーネスＷ／Ｈにはバンドクランプ１０を、そのバンド１０ａを巻き付けて取り付けている。該バンドクランプ１０のボデー取付用の羽根状の係止部１０ｂはボデー取付側Ｘの方向にむけて突出されるように、ワイヤハーネスＷ／Ｈに取り付けている。
【００１２】
樹脂シートに識別品番を記した品番表示シート１をバンドクランプ１０の取付位置と同一位置で、かつ、係止部１０ｂの突出側と反対側Ｙに粘着テープ１１Ａ、１１Ｂを用いて取り付けている。
【００１３】
上記品番表示シート１のワイヤハーネスＷ／Ｈへの取付方法は図２に示すように、ワイヤハーネス組立作業台２０上で行っており、ワイヤハーネス組立作業台２０上に立設した治具２１に電線群Ｗを保持して布線した後、電線群Ｗをテープ２２で巻き付けて結束し、ついで、所定位置にバンドクランプ１０を取り付ける。バンドクランプ１０をワイヤハーネスＷ／Ｈに締結した後、バンドクランプ１０の係止部１０ｂと反対側のワイヤハーネスの周面に品番表示シート１を配して、その長さ方向の一端とワイヤハーネスＷ／Ｈとを粘着テープ１１Ａで巻き付けて固着する。ついで、固着側より折り返してバンドクランプ１０のバンド１０ａを跨ぐように他端を伸ばし、その先端を粘着テープ１１ＢでワイヤハーネスＷ／Ｈに巻き付け固着する。この状態で、品番表示シート１の長さ方向の略中央部が丁度バンドクランプ１０の係止突起１０ｂと反対側に位置するようにしている。
【００１４】
上記のように品番表示シート１を取り付けたワイヤハーネスＷ／Ｈを自動車に配索し、図３に示すように、バンドクランプ１０の係止突起１０ｂを車両ボデーあるいはエンジンボデー等の取付ボデー３０の取付穴３０ａに挿入係止してワイヤハーネスＷ／Ｈを取り付ける。
【００１５】
上記取付状態で、ワイヤハーネスＷ／Ｈに取り付けた品番表示シート１は必ず取付ボデー３０と反対側に位置し、作業者から目視できる位置となる。例えば、前記図５に示すエンジンボデーに対して係止突起を下向きに挿入して取り付けた場合、品番表示シートは上を向くこととなる。
【００１７】
【発明の効果】
以上の説明より明らかなように、本発明によれば、クランプの係止突起と反対側に品番表示シートを位置させてワイヤハーネスに取り付けておくと、自動車へのワイヤハーネス配索時に、品番表示シートは必ず取付ボデー側とは反対面となり、作業員が目視できる位置に配置することができる。
【００１８】
また、ワイヤハーネスの製造工程において、品番表示シートはクランプの係止突起を目安として、該係止突起と反対側に取り付ければ良いため、取付位置を簡単に特定でき、ワイヤハーネスの生産性を低下させない利点がある。
【図面の簡単な説明】
【図１】本発明の実施形態を示し、（Ａ）は斜視図、（Ｂ）は断面図、（Ｃ）は品番表示シートの平面図である。
【図２】品番表示シートのワイヤハーネスへの取付方を示す斜視図である。
【図３】ワイヤハーネスを取付ボデーに取り付けた状態の断面図である。
【図４】従来例を示す斜視図である。
【図５】ワイヤハーネスをエンジンボデーに沿って配索した状態を示す斜視図である。
【符号の説明】
１  品番表示シート
１０  バンドクランプ
１０ａ  バンド
１０ｂ  係止突起
１１Ａ、１１Ｂ  粘着テープ
３０  取付ボデー
３０ａ  係止穴
Ｗ  電線群
Ｗ／Ｈ  ワイヤハーネス
【図１】
0003614036.tif 000002
【図２】
0003614036.tif 000003
【図３】
0003614036.tif 000004
【図４】
0003614036.tif 000005
【図５】
0003614036.tif 000006